(57)【要約】    【課題】  射出側光学要素を液晶パネルやクロスダイクロイックプリズムに対して正しい角度で配置する作業が容易となる構造を有するプリズム構造体を提供する。    【解決手段】  それぞれが液晶パネル及び視野角補償板を有し複数の色光のいずれかを画像情報に応じて変調して画像光を生成する複数の液晶装置と、複数の液晶装置で生成された画像光を合成するクロスダイクロイックプリズム５００とを備えたプリズム構造体５５０であって、複数の液晶装置のそれぞれは、クロスダイクロイックプリズムに固定された固定部材４４０Ｒと、液晶パネル４１０Ｒを保持するとともに固定部材に固定された保持部材４５０Ｒと、視野角補償板４６０Ｒを保持するとともに照明光軸の回りに回動調整可能な射出側光学要素保持部材４６２Ｒとをさらに有し、射出側光学要素保持部材は、照明光軸の回りに回動調整された後に保持部材に対して固定されてなることを特徴とするプリズム構造体。【選択図】  図１
2006259256.tif 000002
【特許請求の範囲】
【請求項１】
それぞれが液晶パネル及び射出側光学要素を有し複数の色光のいずれかを画像情報に応じて変調して画像光を生成する複数の液晶装置と、
前記複数の液晶装置で生成された画像光を合成するクロスダイクロイックプリズムとを備えたプリズム構造体であって、
前記複数の液晶装置のそれぞれは、前記クロスダイクロイックプリズムに固定された固定部材と、前記液晶パネルを保持するとともに前記固定部材に固定された保持部材と、前記射出側光学要素を保持するとともに照明光軸の回りに回動調整可能な射出側光学要素保持部材とをさらに有し、
前記射出側光学要素保持部材は、照明光軸の回りに回動調整された後に前記保持部材に対して固定されてなることを特徴とするプリズム構造体。
【請求項２】
請求項１に記載のプリズム構造体において、
前記保持部材は、前記射出側光学要素の回動調整を行うための円弧状の案内孔を有し、
前記射出側光学要素保持部材は、前記案内孔に挿入可能なピンを有することを特徴とするプリズム構造体。
【請求項３】
請求項１又は２に記載のプリズム構造体において、
前記射出側光学要素保持部材は、前記保持部材に対して押し付けられた状態で回動調整された後に前記保持部材に対して接着固定されてなることを特徴とするプリズム構造体。
【請求項４】
請求項３に記載のプリズム構造体において、
前記射出側光学要素保持部材は、前記保持部材を把持するための把持部を有し、
前記射出側光学要素保持部材は、前記把持部の弾力によって前記保持部材に対して押し付けられた状態で回動調整された後に前記保持部材に対して接着固定されてなることを特徴とするプリズム構造体。
【請求項５】
請求項１〜４のいずれかに記載のプリズム構造体において、
前記複数の液晶装置のそれぞれは、前記クロスダイクロイックプリズムに貼り付けられた射出側偏光板をさらに有し、
前記射出側光学要素は、視野角補償板であることを特徴とするプリズム構造体。
【請求項６】
請求項１〜４のいずれかに記載のプリズム構造体において、
前記複数の液晶装置のそれぞれは、前記クロスダイクロイックプリズムに貼り付けられた射出側偏光板をさらに有し、
前記射出側光学要素は、第２の射出側偏光板であることを特徴とするプリズム構造体。
【請求項７】
請求項５又は６に記載のプリズム構造体において、
前記保持部材は、前記液晶パネル及び前記射出側偏光板のいずれからも離隔させた状態で前記射出側光学要素を保持していることを特徴とするプリズム構造体。
【請求項８】
請求項１〜４のいずれかに記載のプリズム構造体において、
前記射出側光学要素は、射出側偏光板であることを特徴とするプリズム構造体。
【請求項９】
照明装置と、前記照明装置から射出される照明光を複数の色光に分離する色分離導光光学系と、前記色分離導光光学系から射出された複数の色光を画像情報に応じて変調及び合成した画像光を射出するプリズム構造体と、前記プリズム構造体から射出された画像光を投写する投写光学系とを備えたプロジェクタにおいて、
前記プリズム構造体は請求項１〜８のいずれかに記載のプリズム構造体であることを特徴とするプロジェクタ。
【発明の詳細な説明】
【技術分野】
【０００１】
本発明は、プリズム構造体及びプロジェクタに関する。
【背景技術】
【０００２】
図８は、プロジェクタの一般的な光学系を示す図である。図面や以下の説明において、ｚ軸は光の進行方法に沿った軸を示し、ｘ軸はｚ軸に垂直で、かつ、図８の紙面に平行な軸を示し、ｙ軸はｚ軸に垂直で、かつ、図８の紙面に垂直な軸を示す。
【０００３】
このプロジェクタ１０００ａは、図８に示すように、照明装置１００と、照明装置１００から射出された光を赤色光、緑色光及び青色光の３つの色光に分離する色分離導光光学系２００と、色分離導光光学系２００によって分離された３つの色光を画像情報に応じて変調して画像光を生成する３つの液晶装置４００ａＲ，４００ａＧ，４００ａＢと、これら３つの液晶装置４００ａＲ，４００ａＧ，４００ａＢで生成された画像光を合成するクロスダイクロイックプリズム５００ａと、クロスダイクロイックプリズム５００ａによって合成された画像光をスクリーンＳＣＲなどの投写面に投写する投写光学系６００とを備えている。
【０００４】
このようなプロジェクタにおいては、近年、液晶装置の構成要素（例えば、液晶パネル、射出側偏光板など。）の全部又は一部とクロスダイクロイックプリズムとが一体化されたプリズム構造体が広く用いられるようになっている（例えば、特許文献１参照。）。
【０００５】
図９は、そのようなプリズム構造体５５０ｂを説明するために示す図である。
プリズム構造体５５０ｂにおいては、図９に示すように、赤色光用の液晶パネル４１０ｂＲは液晶パネル保持枠４１２ｂＲの凹部に保持されている。また、クロスダイクロイックプリズム５００ｂの光入射端面には、固定枠４４０ｂＲが貼付され、この固定枠４４０ｂＲには中間枠４５０ｂＲがねじ止めされている。
【０００６】
液晶パネル４１０ｂＲは、中間枠４５０ｂＲの四隅に突設されたピンを液晶パネル保持枠４１２ｂＲの孔にそれぞれ挿入・係合することにより仮止め状態とされ、この仮止め状態で一対の楔４１８ｂＲ，４１８ｂＲを、液晶パネル４１０ｂＲと液晶パネル保持枠４１２ｂＲとの間に押し込んで位置決めを行い、最終的に、これらの楔４１８ｂＲ，４１８ｂＲを固定枠４４０ｂＲに接着固定する。図示を省略したが、他の色光用の液晶パネル４１０ｂＧ，４１０ｂＢについても同様にして位置決め固定を行っている。これにより、各液晶パネル４１０ｂＲ，４１０ｂＧ，４１０ｂＢを精度良く位置合わせすることが可能になる。  
【０００７】
しかしながら、このプリズム構造体５５０ｂにおいては、固定枠４４０ｂＲ、中間枠４５０ｂＲ、液晶パネル保持枠４１２ｂＲ、楔４１８ｂＲ，４１８ｂＲ等の数多くの部品を必要とし、しかも、これら数多くの部品を組み立てるのに手間を要するとともに工程が複雑化し、製造コストを低減するのが容易ではないという問題があった。
【０００８】
そこで、本出願人は、そのような問題を解決することができるプリズム構造体について、特許出願をしている（特願２００４−４１８２６号（本件特許出願の出願時にはまだ未公開段階である。））。
【０００９】
図１０は、上記したプリズム構造体５５０ｃを説明するために示す図である。プリズム構造体５５０ｃ（一部図示せず。）は、液晶装置４００ｃＲ，４００ｃＧ，４００ｃＢ（一部図示せず。）の構成要素の一部（液晶パネル４１０ｃＲ、射出側偏光板４３０ｃＲ）とクロスダイクロイックプリズム５００ｃ（図示せず。）とが一体化されたプリズム構造体である。そして、このプリズム構造体５５０ｃは、両側に起立片ｄ１，ｄ１を有し断面Ｃ字状に構成された固定部材４４０ｃＲと、両側に起立片ｄ２，ｄ２を有し断面Ｃ字状に構成された保持部材４５０ｃＲとを備え、固定部材４４０ｃＲの起立片ｄ１，ｄ１と保持部材４５０ｃＲの起立片ｄ２，ｄ２とが互いに擦り合うようにして組み立てられている。
【００１０】
このため、プリズム構造体５５０ｃによれば、固定部材４４０ｃＲと保持部材４５０ｃＲとを組み合わせて互いに固定すると、液晶パネル４１０ｃＲがクロスダイクロイックプリズム５００ｃに取り付けられて固定される。これにより、液晶パネル４１０ｃＲをクロスダイクロイックプリズム５００ｃに取り付けるための必須部材は、固定部材４４０ｃＲ及び保持部材４５０ｃＲの２つだけになり、部品点数が削減できる。その結果、組み立て工程が単純化され、製造コストを低減できる。
【００１１】
【特許文献１】特開平１０−１０９９４号公報（図７）
【発明の開示】
【発明が解決しようとする課題】
【００１２】
しかしながら、プリズム構造体５５０ｃにおいては、射出側偏光板４３０ｃＲを保持部材４５０ｃＲの射出側面ｄ３に対して接着剤で固定することとしているため、射出側偏光板４３０ｃＲを、液晶パネル４１０ｃＲやクロスダイクロイックプリズム５００ｃに対して正しい角度で配置する作業が依然として煩雑であるという問題があった。
【００１３】
ところで、近年、プロジェクタにおける液晶装置として、視野角特性やコントラスト特性などを向上させるために、液晶パネルと射出側偏光板との間に視野角補償板や第２の射出側偏光板を配置した液晶装置が用いられるようになってきている。この視野角補償板や第２の射出側偏光板においては、上記した射出側偏光板の場合と同様に、液晶パネルやクロスダイクロイックプリズムに対して正しい角度で配置されていないと、所定の視野角又はコントラストを実現することができない。
【００１４】
しかしながら、特願２００４−４１８２６号の明細書又は図面においては、視野角補償板や第２の射出側偏光板を、液晶パネル４１０ｃＲやクロスダイクロイックプリズム５００ｃなどに対してどのようにして正しい角度で配置するかに関しては記載されていない。
【００１５】
そこで、本発明は、射出側偏光板、視野角補償板、第２の射出側偏光板などの射出側光学要素を液晶パネルやクロスダイクロイックプリズムに対して正しい角度で配置する作業が容易となる構造を有するプリズム構造体を提供することを目的とする。また、本発明は、上記のようなプリズム構造体を備えた視野角の広い又はコントラストの高いプロジェクタを提供することを目的とする。
【課題を解決するための手段】
【００１６】
本発明のプリズム構造体は、それぞれが液晶パネル及び射出側光学要素を有し複数の色光のいずれかを画像情報に応じて変調して画像光を生成する複数の液晶装置と、前記複数の液晶装置で生成された画像光を合成するクロスダイクロイックプリズムとを備えたプリズム構造体であって、前記複数の液晶装置のそれぞれは、前記クロスダイクロイックプリズムに固定された固定部材と、前記液晶パネルを保持するとともに前記固定部材に固定された保持部材と、前記射出側光学要素を保持するとともに照明光軸の回りに回動調整可能な射出側光学要素保持部材とをさらに有し、前記射出側光学要素保持部材は、照明光軸の回りに回動調整された後に前記保持部材に対して固定されてなることを特徴とする。
【００１７】
このため、本発明のプリズム構造体によれば、射出側光学要素を保持する射出側光学要素保持部材は照明光軸の回りに回動調整された後に保持部材に対して固定されてなるため、射出側光学要素は液晶パネルやクロスダイクロイックプリズムに対して正しい角度で配置されることになる。
また、本発明のプリズム構造体によれば、そのような作業を、照明光軸の回りに回動調整可能な射出側光学要素保持部材を照明光軸の回りに回動調整した後に保持部材に対して固定するという極めて単純な方法で実現することができる。
このため、本発明のプリズム構造体は、射出側光学要素を液晶パネルやクロスダイクロイックプリズムに対して正しい角度で配置する作業が容易となる構造を有するプリズム構造体となる。
【００１８】
本発明のプリズム構造体においては、前記保持部材は、前記射出側光学要素の回動調整を行うための円弧状の案内孔を有し、前記射出側光学要素保持部材は、前記案内孔に挿入可能なピンを有することが好ましい。
【００１９】
このように構成することにより、保持部材の案内孔に沿って射出側偏光板保持部材のピンを移動させることにより射出側光学要素保持部材を照明光軸の回りに回動調整することが可能になり、射出側光学要素保持部材を照明光軸の回りに回動調整した後に保持部材に対して固定するという作業を円滑に行うことが可能になる。
【００２０】
本発明のプリズム構造体においては、前記射出側光学要素保持部材は、前記保持部材に対して押し付けられた状態で回動調整された後に前記保持部材に対して接着固定されてなることが好ましい。
【００２１】
このように構成することにより、照明光軸に対する射出側偏光板の傾きが抑制され、傾きによる色収差の発生を抑制することができる。
【００２２】
本発明のプリズム構造体においては、前記射出側光学要素保持部材は、前記保持部材を把持するための把持部を有し、前記射出側光学要素保持部材は、前記把持部の弾力によって前記保持部材に対して押し付けられた状態で回動調整された後に前記保持部材に対して接着固定されてなることが好ましい。
【００２３】
保持部材に対する射出側光学要素保持部材の押し付けは、バネ部材でできた専用の把持治具を用い、この把持治具の弾力によって行ってもよいが、上記のように構成することにより、射出側光学要素保持部材を照明光軸の回りに回動調整した後に保持部材に対して固定するという作業をさらに容易に行うことが可能になる。
【００２４】
本発明のプリズム構造体においては、前記複数の液晶装置のそれぞれは、前記クロスダイクロイックプリズムに貼り付けられた射出側偏光板をさらに有し、前記射出側光学要素は、視野角補償板であることが好ましい。
【００２５】
このように構成することにより、本発明のプリズム構造体をプロジェクタに用いることによって、視野角の広いプロジェクタを構成することができる。
【００２６】
本発明のプリズム構造体においては、前記複数の液晶装置のそれぞれは、前記クロスダイクロイックプリズムに貼り付けられた射出側偏光板をさらに有し、前記射出側光学要素は、第２の射出側偏光板であることが好ましい。
【００２７】
このように構成することにより、本発明のプリズム構造体をプロジェクタに用いることによって、コントラストの高いプロジェクタを構成することができる。
【００２８】
本発明のプリズム構造体においては、前記保持部材は、前記液晶パネル及び前記射出側偏光板のいずれからも離隔させた状態で前記射出側光学要素を保持していることが好ましい。
【００２９】
このように構成することにより、ともに発熱部材である射出側偏光板及び液晶パネルから射出側光学要素を離隔して配置することにより、熱の影響を少なくすることができ、より高輝度のプロジェクタに対応することができる。
【００３０】
本発明のプリズム構造体においては、前記射出側光学要素は、射出側偏光板であることが好ましい。
【００３１】
このように構成することにより、本発明のプリズム構造体をプロジェクタに用いることによって、コントラストの高いプロジェクタを構成することができる。
【００３２】
本発明のプロジェクタは、照明装置と、前記照明装置から射出される照明光を複数の色光に分離する色分離導光光学系と、前記色分離導光光学系から射出された複数の色光を画像情報に応じて変調及び合成した画像光を射出するプリズム構造体と、前記プリズム構造体から射出された画像光を投写する投写光学系とを備えたプロジェクタにおいて、前記プリズム構造体は本発明のプリズム構造体であることを特徴とする。
【００３３】
このため、本発明のプロジェクタによれば、上記したような本発明のプリズム構造体を備えているため、視野角の広い又はコントラストの高いプロジェクタとなる。
【発明を実施するための最良の形態】
【００３４】
以下、本発明のプリズム構造体及びプロジェクタについて、図に示す実施の形態に基づいて説明する。
【００３５】
［実施形態１］
図１は、実施形態１に係るプリズム構造体５５０を説明するために示す斜視図である。図２は、実施形態１に用いる保持部材４５０Ｒ及び射出側光学要素保持部材４６２Ｒを説明するために示す図である。
なお、図１において、液晶装置４００Ｇにおける射出側光学要素保持部材の把持部の構造は一部省略して示している。
【００３６】
実施形態１に係るプリズム構造体５５０は、図１に示すように、赤色光用、緑色光用及び青色光用の液晶装置４００Ｒ，４００Ｇ，４００Ｂと、クロスダイクロイックプリズム５００とを備えたプリズム構造体である。液晶装置４００Ｒは、液晶パネル４１０Ｒ及び射出側光学要素としての視野角補償板４６０Ｒを有し赤色光を画像情報に応じて変調して画像光を生成する働きをする。液晶装置４００Ｇ，４００Ｂも、液晶装置４００Ｒと同様の機能を有している。クロスダイクロイックプリズム５００は、液晶装置４００Ｒ，４００Ｇ，４００Ｂで生成された画像光を合成する働きをする。
【００３７】
なお、液晶装置４００Ｒ，４００Ｇ，４００Ｂのそれぞれは、基本的には同じ構成を有しているため、以下では赤色光用の液晶装置４００Ｒの構成について詳細に説明する。
【００３８】
液晶装置４００Ｒは、図１に示すように、クロスダイクロイックプリズム５００に固定された固定部材４４０Ｒと、液晶パネル４１０Ｒを保持するとともに固定部材４４０Ｒに固定された保持部材４５０Ｒと、視野角補償板４６０Ｒを保持するとともに照明光軸の回りに回動調整可能な射出側光学要素保持部材としての射出側光学要素保持部材４６２Ｒとを有している。また、液晶装置４００Ｒは、クロスダイクロイックプリズム５００の光入射面に貼り付けられた射出側偏光板４３０Ｒと、保持部材４５０Ｒの射出側面ｄ３に両面テープＴで貼り付けられた第２の射出側偏光板４３２Ｒとをさらに有している。液晶パネル４１０Ｒは、液晶パネル保持枠４１２Ｒの凹部に保持されている。
【００３９】
上記のように構成された実施形態１に係るプリズム構造体５５０において、射出側光学要素保持部材４６２Ｒは、照明光軸の回りに回動調整された後に保持部材４５０Ｒに対して固定されてなる。また、保持部材４５０Ｒは、図２に示すように、視野角補償板４６０Ｒの回動調整を行うための円弧状の案内孔４５２Ｒを有している。視野角補償板４６０Ｒは、射出側光学要素保持部材４６２Ｒに一体化されている。射出側光学要素保持部材４６２Ｒは、保持部材４５０Ｒの案内孔４５２Ｒに挿入可能なピン４６６Ｒを有している（図３及び図４参照。）。
【００４０】
図３〜図５は、実施形態１に係るプリズム構造体５５０の作用効果を説明するために示す図である。図３（ａ）は保持部材４５０Ｒに射出側光学要素保持部材４６２Ｒが挿入された状態を示す正面図であり、図３（ｂ）は保持部材４５０Ｒに射出側光学要素保持部材４６２Ｒが挿入された状態を示す側面図である。図４（ａ）は保持部材４５０Ｒに射出側光学要素保持部材４６２Ｒが挿入された後、左方向に回動調整された状態を示す正面図であり、図４（ｂ）は保持部材４５０Ｒに射出側光学要素保持部材４６２Ｒが挿入された後回動調整がなされる前の状態を示す正面図であり、図４（ｃ）は保持部材４５０Ｒに射出側光学要素保持部材４６２Ｒが挿入された後、右方向に回動調整された状態を示す正面図である。図５（ａ）はプリズム構造体５５０における冷却状態を示す上面図であり、図５（ｂ）は図５（ａ）のＡ１−Ａ１断面図であり、図５（ｃ）は図５（ａ）の要部拡大図である。
【００４１】
実施形態１に係るプリズム構造体５５０においては、視野角補償板４６０Ｒを保持する射出側光学要素保持部材４６２Ｒは、図４（ａ）〜図４（ｃ）に示すように、照明光軸の回りに回動調整された後に、保持部材４５０Ｒに対して固定されるため、視野角補償板４６０Ｒは液晶パネル４１０Ｒやクロスダイクロイックプリズム５００に対して正しい角度で配置されることになる。
また、実施形態１に係るプリズム構造体５５０によれば、そのような作業を、照明光軸の回りに回動調整可能な射出側光学要素保持部材４６２Ｒを照明光軸の回りに回動調整した後に保持部材４５０Ｒに対して固定するという極めて単純な方法で実現することができる。
このため、実施形態１に係るプリズム構造体５５０は、視野角補償板４６０Ｒを液晶パネル４１０Ｒやクロスダイクロイックプリズム５００に対して正しい角度で配置する作業が容易となる構造を有するプリズム構造体となる。
【００４２】
実施形態１に係るプリズム構造体５５０においては、図２に示すように、保持部材４５０Ｒは、視野角補償板４６０Ｒの回動調整を行うための円弧状の案内孔４５２Ｒを有している。また、射出側光学要素保持部材４６２Ｒは、図３に示すように、保持部材４５０Ｒの案内孔４５２Ｒに挿入可能なピン４６６Ｒを有している。
【００４３】
このため、実施形態１に係るプリズム構造体５５０によれば、図４に示すように、保持部材４５０Ｒの案内孔４５２Ｒに沿って射出側光学要素保持部材４６２Ｒのピン４６６Ｒを移動させることにより射出側光学要素保持部材４６２Ｒを照明光軸の回りに回動調整することが可能になり、射出側光学要素保持部材４６２Ｒを照明光軸の回りに回動調整した後に保持部材４５０Ｒに対して固定するという作業を円滑に行うことが可能になる。
【００４４】
実施形態１に係るプリズム構造体５５０においては、図２及び図３に示すように、射出側光学要素保持部材４６２Ｒは、保持部材４５０Ｒを把持するための把持部４６４Ｒを有し、射出側光学要素保持部材４６２Ｒは、把持部４６４Ｒの弾力によって保持部材４５０Ｒに対して押し付けられた状態で回動調整された後に保持部材４５０Ｒに対して接着固定されることになる。
【００４５】
このため、実施形態１に係るプリズム構造体５５０によれば、射出側光学要素保持部材４６２Ｒを照明光軸の回りに回動調整した後に保持部材４５０Ｒに対して固定するという作業をさらに容易に行うことが可能になる。
また、射出側光学要素保持部材４６２Ｒは、把持部４６４Ｒの弾力によって保持部材４５０Ｒの射出側面ｄ３に対して押し付けられることになるため、照明光軸に対する視野角補償板４６０Ｒの傾きが抑制され、その結果、傾きによる色収差の発生を抑制することができる。
【００４６】
実施形態１に係るプリズム構造体５５０においては、図１に示すように、液晶装置４００Ｒは、クロスダイクロイックプリズム５００に貼り付けられた射出側偏光板４３０Ｒをさらに有し、保持部材４５０Ｒは、図５に示すように、液晶パネル４１０Ｒ及び射出側偏光板４３０Ｒのいずれからも離隔させた状態で視野角補償板４６０Ｒを保持している。他の液晶装置４００Ｇ，４００Ｂについても液晶装置４００Ｒと同様である。
【００４７】
このため、実施形態１に係るプリズム構造体５５０によれば、発熱部材である射出側偏光板４３０Ｒ及び液晶パネル４１０Ｒから視野角補償板４６０Ｒを離隔して配置することができるため、熱の影響を少なくすることができ、より高輝度のプロジェクタに対応することができる。また、実施形態１に係るプリズム構造体５５０によれば、射出側偏光板４３０Ｒと第２の射出側偏光板４３２Ｒとの間及び視野角補償板４６０Ｒと液晶パネル４１０Ｒとの間には、冷却用空気Ａｉｒが流れる流路が形成されているため、さらに熱の影響を少なくすることができ、より高輝度のプロジェクタに対応することができる。
【００４８】
実施形態１に係るプリズム構造体５５０においては、上記したように射出側光学要素は、視野角補償板４６０Ｒであるため、実施形態１に係るプリズム構造体５５０をプロジェクタに用いることによって、視野角の広いプロジェクタを構成することができる。
【００４９】
［実施形態２］
図６は、実施形態２に係るプリズム構造体５５０Ａを説明するために示す図である。
なお、図６において、液晶装置４００ＡＧにおける射出側光学要素保持部材の把持部の構造は一部省略して示している。
【００５０】
実施形態２に係るプリズム構造体５５０Ａは、実施形態１に係るプリズム構造体５５０と基本的には同様の構成を有しているが、図６に示すように、液晶装置４００ＡＲが第２の射出側偏光板を有しない点で実施形態１に係るプリズム構造体５５０の場合と異なる。なお、他の液晶装置４００ＡＧ，４００ＡＢについても液晶装置４００ＡＲと同様の構成を有している。
【００５１】
このように、実施形態２に係るプリズム構造体５５０Ａは、第２の射出側偏光板を有しない点で実施形態１に係るプリズム構造体５５０の場合と異なるが、射出側光学要素保持部材４６２Ｒは、照明光軸の回りに回動調整された後に保持部材４５０Ｒに対して固定されてなるため、視野角補償板４６０Ｒは液晶パネル４１０Ｒやクロスダイクロイックプリズム５００に対して正しい角度で配置されることになる。
また、実施形態２に係るプリズム構造体５５０Ａによれば、そのような作業を、射出側光学要素保持部材４６２Ｒを照明光軸の回りに回動調整した後に保持部材４５０Ｒに対して固定するという極めて単純な方法で実現することができる。
このため、実施形態２に係るプリズム構造体５５０Ａは、実施形態１に係るプリズム構造体５５０の場合と同様に、視野角補償板４６０Ｒを液晶パネル４１０Ｒやクロスダイクロイックプリズム５００に対して正しい角度で配置する作業が容易となる構造を有するプリズム構造体となる。
【００５２】
なお、実施形態２に係るプリズム構造体５５０Ａは、これ以外の点では実施形態１に係るプリズム構造体５５０と同様の構成を有するため、実施形態１に係るプリズム構造体５５０が有する効果のうち該当する効果をそのまま有する。
【００５３】
［実施形態３］
図７は、実施形態３に用いる保持部材４５０Ｒ及び射出側光学要素保持部材４６２ＢＲを説明するために示す図である。図７（ａ）は保持部材４５０Ｒに射出側光学要素保持部材４６２ＢＲが挿入された状態を示す正面図であり、図７（ｂ）は保持部材４５０Ｒに射出側光学要素保持部材４６２ＢＲが挿入された状態を示す側面図であり、図７（ｃ）は保持部材４５０Ｒに射出側光学要素保持部材４６２ＢＲが挿入された後、把持治具４７０Ｒが取り外された状態を示す正面図である。
【００５４】
実施形態３に係るプリズム構造体５５０Ｂ（図示せず。）は、実施形態１に係るプリズム構造体５５０と基本的には同様の構成を有しているが、図７に示すように、射出側光学要素保持部材が把持部を有しない点で実施形態１に係るプリズム構造体５５０の場合と異なる。
【００５５】
このように、実施形態３に係るプリズム構造体５５０Ｂは、射出側光学要素保持部材が把持部を有しない点で実施形態１に係るプリズム構造体５５０の場合と異なるが、射出側光学要素保持部材４６２ＢＲは、照明光軸の回りに回動調整された後に保持部材４５０Ｒに対して固定されてなるため、視野角補償板４６０Ｒは液晶パネル４１０Ｒ（図示せず。）やクロスダイクロイックプリズム５００（図示せず。）に対して正しい角度で配置されることになる。
また、実施形態３に係るプリズム構造体５５０Ｂによれば、そのような作業を、射出側光学要素保持部材４６２ＢＲを照明光軸の回りに回動調整した後に保持部材４５０Ｒに対して固定するという極めて単純な方法で実現することができる。
このため、実施形態３に係るプリズム構造体５５０Ｂは、実施形態１に係るプリズム構造体５５０の場合と同様に、視野角補償板４６０Ｒを液晶パネル４１０Ｒやクロスダイクロイックプリズム５００に対して正しい角度で配置する作業が容易となる構造を有するプリズム構造体となる。
【００５６】
実施形態３に係る本発明のプリズム構造体５５０Ｂにおいては、射出側光学要素保持部材４６２ＢＲは、保持部材４５０Ｒを把持するための把持治具４７０Ｒの弾力によって保持部材４５０Ｒに対して押し付けられた状態で回動調整された後に保持部材４５０Ｒに対して接着固定されることになる。
このため、実施形態３に係るプリズム構造体５５０Ｂによれば、射出側光学要素保持部材４６２ＢＲを照明光軸の回りに回動調整した後に保持部材４５０Ｒに対して固定するという作業をさらに容易に行うことが可能になる。
【００５７】
また、射出側偏光板保持部材４６２ＢＲは、把持治具４７０Ｒの弾力によって保持部材４５０Ｒの射出側面ｄ３に対して押し付けられることになるため、照明光軸に対する視野角補償板４６０Ｒの傾きが抑制され、その結果、傾きによる色収差の発生を抑制することができる。
【００５８】
また、射出側偏光板保持部材４６２ＢＲを保持部材４５０Ｒに対して接着固定する作業が終了した後は、図７（ｃ）に示すように、把持治具４７０Ｒをプリズム構造体から取り外すことも可能となる。
【００５９】
なお、実施形態３に係るプリズム構造体５５０Ｂは、これ以外の点では実施形態１に係るプリズム構造体５５０と同様の構成を有するため、実施形態１に係るプリズム構造体５５０が有する効果のうち該当する効果をそのまま有する。
【００６０】
以上、本発明のプリズム構造体及びプロジェクタを上記の各実施形態に基づいて説明したが、本発明は上記の各実施形態に限られるものではなく、その要旨を逸脱しない範囲において種々の態様において実施することが可能であり、例えば次のような変形も可能である。 
【００６１】
上記した各実施形態に係るプリズム構造体５５０，５５０Ａ，５５０Ｂにおいては、射出側光学要素として、視野角補償板を用いた例を示したが、本発明はこれに限られず、射出側光学要素として、第２の射出側偏光板又は射出側偏光板を用いることもできる。この場合には、本発明のプリズム構造体をプロジェクタに用いることによって、コントラストの高いプロジェクタを構成することができる。
【図面の簡単な説明】
【００６２】
【図１】実施形態１に係るプリズム構造体５５０を説明するために示す斜視図。
【図２】実施形態１に用いる保持部材４５０Ｒ及び射出側光学要素保持部材４６２Ｒを説明するために示す図。
【図３】実施形態１に係るプリズム構造体５５０の作用効果を説明するために示す図。
【図４】実施形態１に係るプリズム構造体５５０の作用効果を説明するために示す図。
【図５】実施形態１に係るプリズム構造体５５０の作用効果を説明するために示す図。
【図６】実施形態２に係るプリズム構造体５５０Ａを説明するために示す図。
【図７】実施形態３に用いる保持部材４５０Ｒ及び射出側光学要素保持部材４６２ＢＲを説明するために示す図。
【図８】プロジェクタの一般的な光学系を示す図。
【図９】プリズム構造体５５０ｂを説明するために示す図。
【図１０】プリズム構造体５５０ｃを説明するために示す図。
【符号の説明】
【００６３】
１０００ａ…プロジェクタ、１００…照明装置、１１０…光源装置、１１２…発光管、１１４…楕円面リフレクタ、１１６…補助ミラー、１１８…平行化レンズ、１２０…第１レンズアレイ、１３０…第２レンズアレイ、１４０…偏光変換素子、１５０…重畳レンズ、２００…色分離導光光学系、２１０，２２０…ダイクロイックミラー、２３０，２４０，２５０…反射ミラー、２６０Ｒ，２６０Ｇ，２６０Ｂ…フィールドレンズ、２７０…入射側レンズ、２８０…リレーレンズ、４００Ｒ，４００Ｇ，４００Ｂ，４００ＡＲ，４００ＡＧ，４００ＡＢ，４００ａＲ，４００ａＧ，４００ａＢ，４００ｂＲ…液晶装置、４１０Ｒ，４１０ｂＲ，４１０ｃＲ…液晶パネル、４１２Ｒ，４１２ｂＲ，４１２ｃＲ…液晶パネル保持枠、４１８ｂＲ…楔、４３０Ｒ，４３０ｃＲ…射出側偏光板、４３２Ｒ…第２の射出側偏光板、４４０Ｒ，４４０ｃＲ…固定部材、４４０ｂＲ…固定枠、４５０Ｒ，４５０ｃＲ…保持部材、４５０ｂＲ…中間枠、４５２Ｒ…案内孔、４６０Ｒ…視野角補償板、４６２Ｒ，４６２ＢＲ…射出側光学要素保持部材、４６４Ｒ…把持部、４６６Ｒ，４７６Ｒ…ピン、４７０Ｒ…把持治具、４７２Ｒ…つまみ、４７４Ｒ…治具本体、５００，５００ａ，５００ｂ…クロスダイクロイックプリズム、５４０…冷却ファン、５５０，５５０Ａ，５５０ａ，５５０ｂ，５５０ｃ…プリズム構造体、６００…投写光学系、Ａｉｒ…冷却用空気、ｄ１，ｄ２…起立片、ｄ３…射出側面、Ｆ５…ねじ、ｈ１…貫通孔、ｈ２…雌ねじ孔、ｈ３…突起、ｈ４…注入孔、ｈ５…長孔、ＳＣＲ…スクリーン、Ｔ…両面テープ
【図１】
2006259256.tif 000003
【図２】
2006259256.tif 000004
【図６】
2006259256.tif 000005
【図８】
2006259256.tif 000006
【図９】
2006259256.tif 000007
【図１０】
2006259256.tif 000008
【図３】
2006259256.tif 000009
【図４】
2006259256.tif 000010
【図５】
2006259256.tif 000011
【図７】
2006259256.tif 000012